(57)【特許請求の範囲】
【請求項１】
フード部と、前記フード部の奥端面から雄端子金具のタブを突出させた形態の第１ハウジングと、
前記タブと接触可能な雌端子金具が収容され、前記フード部内への嵌合を可能とされた第２ハウジングと、
前記第２ハウジングが前記フード部に対して不正な斜め姿勢で嵌合されるのを規制する規制手段とを備え、
前記規制手段が、
前記フード部の内面と前記第２ハウジングの外面のうち一方の面から突出した形態の規制リブと、
前記フード部の内面と前記第２ハウジングの外面のうち他方の面を凹ませた形態であって、前記第２ハウジングが正しい姿勢で前記フード部に嵌入されたときにのみ前記規制リブと嵌合可能な規制溝とから構成されているコネクタにおいて、
前記規制リブが、嵌合方向に延びる第１リブと、嵌合方向において前記第１リブの前端よりも後方に位置する第２リブとを備えており、
前記規制溝が、嵌合方向に延びる第１溝と、嵌合方向において前記第１溝の後端よりも前方に位置する第２溝とを備え、
さらに、前記タブは、複数の大型タブと複数の小型タブとによって構成され、かつ前記複数の大型タブによって構成された大型タブ群は前記第１ハウジングの左右に配置され、前記複数の小型タブによって構成された小型タブ群は前記大型タブ群の間に配置される一方、
前記規制リブは前記大型タブ群と前記小型タブ群との間にそれぞれ配置されるとともに、前記第１ハウジングの正面視において、前記第１リブと前記第２リブとは略直角となるよう配置されていることを特徴とするコネクタ。
【請求項２】
前記第２リブが、前記第１リブから突出する形態とされ、
前記第２溝が、前記第１溝の内面を凹ませた形態となっていることを特徴とする請求項１記載のコネクタ。
【請求項３】
前記第１リブが板状に突出した形態であり、
前記第２リブが、前記第１リブの板面から略直角に突出した形態であることを特徴とする請求項２記載のコネクタ。
【請求項４】
前記第２リブと前記第２溝は、前記第２ハウジングが前記フード部に嵌入する過程において前記第２ハウジングの前端面が前記タブの先端に到達するより前に、互いに嵌合可能な形態であることを特徴とする請求項１ないし請求項３のいずれかに記載のコネクタ。
【請求項５】
前記規制リブが、前記フード部の内面から突出して前記フード部の奥端面に連なる形態であり、前記複数の小型タブ群の配置領域に臨むように配されていることを特徴とする請求項１ないし請求項４のいずれかに記載のコネクタ。
【発明の詳細な説明】
【技術分野】
【０００１】
本発明は、コネクタに関するものである。
【背景技術】
【０００２】
特許文献１には、フード部を有する第１ハウジングと、フード部内に嵌入される第２ハウジングと、第２ハウジングが不正な姿勢で嵌合されるのを規制する規制手段とを備えたコネクタについて記載されている。規制手段は、フード部の内面に形成したリブと、第２ハウジングの外面に形成した溝とから構成されており、第２ハウジングがフード部に対して正しい姿勢で嵌入されたときには、リブと溝とが嵌合して両ハウジングの嵌合動作を許容し、第２ハウジングがフード部に対して不正な斜め姿勢で嵌入されようとしたときには、第２ハウジングの外面がリブと干渉することによって、第２ハウジングの付勢な姿勢での嵌合が規制されるようになっている。
【特許文献１】特開２００６−４９０１公報
【発明の開示】
【発明が解決しようとする課題】
【０００３】
上記従来のコネクタの規制手段は、リブがフード部の長辺から略直角に突出した形態となっていて、第２ハウジングがフード部の短辺と平行な軸回りに姿勢を傾けたときに嵌合を規制するが、フード部の長辺と平行な軸回りに姿勢を傾けたときには、嵌合規制を行われない。  
フード部の長辺と平行な軸回りの姿勢の傾きと、短辺と平行な軸回りの姿勢の傾きの両方に対応する手段としては、リブを、フード部の長辺と短辺の双方から突出させる構造が考えられる。しかしながら、この構造では、第２ハウジングをフード部内に嵌め込む嵌合初期において、第２ハウジングの姿勢を長辺方向と短辺方向との二次元方向において正しく定める必要があるため、嵌合がし難くなり、作業性がよくないという問題がある。  
本発明は上記のような事情に基づいて完成されたものであって、ハウジング同士の嵌合時におけるこじりを防止するようにしたコネクタにおいて、嵌合初期の作業性向上を図ることを目的とする。
【課題を解決するための手段】
【０００４】
上記の目的を達成するための手段として、請求項１の発明は、フード部と、前記フード部の奥端面から雄端子金具のタブを突出させた形態の第１ハウジングと、
前記タブと接触可能な雌端子金具が収容され、前記フード部内への嵌合を可能とされた第２ハウジングと、前記第２ハウジングが前記フード部に対して不正な斜め姿勢で嵌合されるのを規制する規制手段とを備え、前記規制手段が、前記フード部の内面と前記第２ハウジングの外面のうち一方の面から突出した形態の規制リブと、前記フード部の内面と前記第２ハウジングの外面のうち他方の面を凹ませた形態であって、前記第２ハウジングが正しい姿勢で前記フード部に嵌入されたときにのみ前記規制リブと嵌合可能な規制溝とから構成されているコネクタにおいて、前記規制リブが、嵌合方向に延びる第１リブと、嵌合方向において前記第１リブの前端よりも後方に位置する第２リブとを備えており、前記規制溝が、嵌合方向に延びる第１溝と、嵌合方向において前記第１溝の後端よりも前方に位置する第２溝とを備え、さらに、前記タブは、複数の大型タブと複数の小型タブとによって構成され、かつ前記複数の大型タブによって構成された大型タブ群は前記第１ハウジングの左右に配置され、前記複数の小型タブによって構成された小型タブ群は前記大型タブ群の間に配置される一方、前記規制リブは前記大型タブ群と前記小型タブ群との間にそれぞれ配置されるとともに、前記第１ハウジングの正面視において、前記第１リブと前記第２リブとは略直角となるよう配置されているところに特徴を有する。
【０００５】
請求項２の発明は、請求項１に記載のものにおいて、前記第２リブが、前記第１リブから突出する形態とされ、前記第２溝が、前記第１溝の内面を凹ませた形態となっているところに特徴を有する。
【０００６】
請求項３の発明は、請求項２に記載のものにおいて、前記第１リブが板状に突出した形態であり、前記第２リブが、前記第１リブの板面から略直角に突出した形態であるところに特徴を有する。
【０００７】
請求項４の発明は、請求項１ないし請求項３のいずれかに記載のものにおいて、前記第２リブと前記第２溝は、前記第２ハウジングが前記フード部に嵌入する過程において前記第２ハウジングの前端面が前記タブの先端に到達するより前に、互いに嵌合可能な形態であるところに特徴を有する。
【０００８】
請求項５の発明は、請求項１ないし請求項４のいずれかに記載のものにおいて、前記規制リブが、前記フード部の内面から突出して前記フード部の奥端面に連なる形態であり、前記複数の小型タブ群の配置領域に臨むように配されているところに特徴を有する。
【発明の効果】
【０００９】
＜請求項１の発明＞
嵌合の初期においては、第１リブと第１溝とが嵌合するように第２ハウジングの姿勢を整えればよいので、第１リブと第１溝との嵌合及び第２リブと第２溝との嵌合を同時に成立させるように第２ハウジングの姿勢を整える場合に比べると、第２ハウジングの姿勢を整える作業が容易であり、作業性に優れる。  
また、第１リブと第１溝とを嵌合させた状態で、両ハウジングの嵌合動作を進めた後は、第２ハウジングの姿勢を整えて第２リブと第２溝とを嵌合させるようにするのであるが、この時点では、既に第２ハウジングがフード部内に嵌合されていて、第２ハウジングの姿勢が概ね正しい姿勢をとっているので、嵌合途中で第２ハウジングの姿勢を整える作業も容易である。
【００１０】
＜請求項２の発明＞
第１リブと第２リブが互いに独立して突出し、第１溝と第２溝とが互いに独立して凹ませた形態である場合に比べると、規制リブ及び規制溝の形状が簡素化される。
【００１１】
＜請求項３の発明＞
第２リブは、第１リブの板面から略直角に突出した形態なので、板状をなす第１リブを補強する機能を発揮する。
【００１２】
＜請求項４の発明＞
第２ハウジングの前端面がフード部内のタブの先端に到達するより前に、第１リブと第１溝との嵌合及び第２リブと第２溝との嵌合によって、フード部に対する第２ハウジングの姿勢が正しく整えられるので、タブは、第２ハウジングの前端面に突き当たる虞がない。
【００１３】
＜請求項５の発明＞
フード部内の小型タブは、寸法が小さいので、第２ハウジング内の雌端子金具と正しく接続されるためには、第２ハウジングをフード部に対して高い精度で位置決めする必要がある。そこで、本発明では、規制リブを、フード部の奥端面に連なる形態とすることによって変形し難いようにした上で、小型タブの配置領域に臨むように、即ち小型タブの配置領域の近傍に配置した。これにより、規制リブと規制溝との嵌合によって、第２ハウジングをフード部に対して高い精度で位置決めできる。
【発明を実施するための最良の形態】
【００１４】
＜実施形態１＞
以下、本発明を具体化した実施形態１を図１乃至図９を参照して説明する。本実施形態のコネクタは、互いに嵌合・離脱を可能とされた第１ハウジング１０と第２ハウジング２０と、第２ハウジング２０が第１ハウジング１０に対して斜め姿勢で嵌合されるのを防止するための規制手段３０とを備えて構成される。尚、以下の説明における前後の方向については、各ハウジング１０，２０に関して、夫々、その正面側を前側ということにする。
【００１５】
第１ハウジング１０は、合成樹脂製であり、横長のブロック状をなす端子収容部１１と、端子収容部１１の外周縁から前方へ片持ち状に延出する横長の角筒状をなすフード部１２とを一体に形成した形態である。端子収容部１１内には、１０個の大型雄端子金具１３の端子本体と１０個の小型雄端子金具１４の端子本体が収容され、大型雄端子金具１３の前端の大型タブ１３Ａと、小型雄端子金具１４の前端の小型タブ１４Ａが、フード部１２の奥端面（端子収容部１１の前端面）からフード部１２内に突出されている。
【００１６】
フード部１２の奥端面における各タブ１３Ａ，１４Ａの配置について、図５を参照して説明する。大型タブ１３Ａは、板厚方向を上下方向とした向きに設けられ、左右５つずつに分かれて左右対称な一対のタブ群を構成するように配置されている。１つのタブ群を構成する５つの大型タブ１３Ａは、上下２列に分かれて配置され、上段には、３つの大型タブ１３Ａが左右に一定ピッチで並び、下段には、２つの大型タブ１３Ａが、上段の大型タブ１３Ａと同じピッチで左右に並ぶ。上段の３つの大型タブ１３Ａのうちフード部１２の中央側に位置するものを除いた２つの大型タブ１３Ａは、下段に配置された２つの大型タブ１３Ａに対して上下に対応するように（並ぶように）配置されている。また、各大型タブ１３Ａのフード部１２の奥端面からの突出寸法は、図１に示すように、フード部１２の奥行き深さ（フード部１２の開口端から奥端面に至る寸法）の１／２よりも少し小さい寸法に設定されている。尚、上段の３つの大型タブ１３Ａのうちフード部１２の中央側に位置する大型タブ１３Ａの下方には、後述する規制リブ３１が配置されている。
【００１７】
小型タブ１４Ａは、その断面形状がほぼ正方形をなしており、両ハウジング１０，２０の嵌合方向と直角な方向における板厚寸法及び幅寸法が、大型タブ１３Ａよりも小さい寸法とされている。１０個の小型タブ１４Ａは、上下２段に分かれて１つのタブ群を構成するようにまとまって配置され、大型タブ１３Ａの左右２つのタブ群の間、即ちフード部１２の左右方向における中央に配置されている。また、上下方向において、小型タブ１４Ａのタブ群の配置領域は、上段の大型タブ１３Ａよりも下方であり、且つ下段の大型タブ１３Ａと重なるような高さに配置されている。また、各小型タブ１４Ａのフード部１２の奥端面からの突出寸法は、大型タブ１３Ａの突出寸法よりも少し小さい寸法に設定されている。つまり、両ハウジング１０，２０の嵌合過程において、小型タブ１４Ａと後述する小型雌端子金具２２とが接続を開始するタイミングは、大型タブ１３Ａと後述する大型雌端子金具２１とが接続を開始するタイミングに比べて遅くなっている。
【００１８】
また、フード部１２の上面壁には、その左右方向中央位置における下面（内面）から突出するロック部１５が形成されている。同じくフード部１２の上面壁には、ロック部１５を左右両側から挟むように位置する左右対称な一対の第１補助リブ１６が、下方へ板状に突出する形態で形成されている。この第１補助リブ１６は、フード部１２の開口端（第１ハウジング１０の前端）から両ハウジング１０，２０の嵌合方向と平行に連続して延びており、その後端はフード部１２の奥端面に連なっている。この一対の第１補助リブ１６は、左右方向においては一対の大型タブ１３Ａのタブ群の間に配置され、上下方向においては、小型タブ１４Ａのタブ群の上方に配置されている。また、第１補助リブ１６の下端は、上段の大型タブ１３Ａよりも低い位置となっている。さらに、フード部１２の下面壁における左右両端部には、左右対称な一対の第２補助溝１７が形成されている。第２補助溝１７は、フード部１２の開口端から両ハウジング１０，２０の嵌合方向と平行に連続して延びており、その後端は、フード部１２の奥端面に達している。
【００１９】
第２ハウジング２０は、横長のブロック状をなし、フード部１２内に嵌合されるようになっている。第２ハウジング２０内には、図４に示すように、大型タブ１３Ａと対応する配置で左右５つずつに分かれて配置された１０個の大型雌端子金具２１と、小型タブ１４Ａと対応する配置で左右方向中央にまとまって配置された１０個の小型雌端子金具２２とが収容されている。尚、大型大型タブ１３Ａと小型大型タブ１３Ａの配置については、上記の大型タブ１３Ａ及び小型タブ１４Ａの配置と同じであるため、詳しい説明は省略する。
【００２０】
第２ハウジング２０の上面における左右方向中央位置には、ロックアーム２３が形成されている。ロックアーム２３は、上下方向に弾性撓み可能であり、両ハウジング１０，２０が嵌合する過程では、ロックアーム２３がロック部１５と干渉して下方へ弾性撓みし、両ハウジング１０，２０が正規の嵌合状態に至ると、ロックアーム２３が弾性復帰してロック部１５に係止し、この係止作用によって。両ハウジング１０，２０が離脱を規制された状態にロックされるようになっている。
【００２１】
また、第２ハウジング２０の上面には、ロックアーム２３の左右両側を凹ませた形態の左右対称な一対の第１補助溝２４が形成されている。この第１補助溝２４は、両ハウジング１０，２０の嵌合方向と平行に延び、第２ハウジング２０の前端面から後端面に亘って連続して形成され、両ハウジング１０，２０が正規の姿勢で嵌合される過程では、第１補助リブ１６と第１補助溝２４とが嵌合することにより、両ハウジング１０，２０の正し姿勢が保たれるとともに、両ハウジング１０，２０間のこじりが防止されるようになっている。さらに、第２ハウジング２０の下面における左右両端部には、左右対称な一対の第２補助リブ２５が形成されている。この第２補助リブ２５は、両ハウジング１０，２０の嵌合方向と平行に延び、第２ハウジング２０の前端面から後端面に亘って連続して形成されている。両ハウジング１０，２０が正規の姿勢で嵌合される過程では、第２補助リブ２５と第２補助溝１７とが嵌合することにより、両ハウジング１０，２０の正し姿勢が保たれるとともに、両ハウジング１０，２０間のこじりが防止されるようになっている。
【００２２】
次に、規制手段３０について説明する。規制手段３０は、フード部１２の内面に形成された左右対称な一対の規制リブ３１と、第２ハウジング２０の外面に形成された左右対称な一対の規制溝３２とによって構成されている。
【００２３】
規制リブ３１は、フード部１２の下面壁（長辺外周の壁部）の内面（上面）から上方へ下面壁と直角に板状に延出した形態である。左右方向における規制リブ３１の形成位置は、大型タブ１３Ａのタブ群と小型タブ１４Ａのタブ群との間であって、上段の３つの大型タブ１３Ａのうちフード部１２の中央側に位置する大型タブ１３Ａのほぼ真下の位置となっている。換言すると、規制リブ３１は、上段に比べて下段の方が大型タブ１３Ａの数が少ないことに起因して生じたデッドスペースに配置されていることになる。また、上下方向における規制リブ３１の上端の位置（形成領域）については、上段側の大型タブ１３Ａよりも下方であり、小型タブ１４Ａのタブ群の形成範囲の上端よりも少し下方の位置となっている。詳しくは、規制リブ３１の上端は、下段の大型タブ１３Ａとほぼ同じ高さであり、上段の小型タブ１４Ａとほぼ同じ高さとなっている。つまり、規制リブ３１の上下方向における形成範囲は、小型タブ１４Ａの形成領域と対応するような広い範囲となっている。
【００２４】
各規制リブ３１は、夫々、１つの第１リブ３１Ａと２つの第２リブ３１Ｂとから構成されている。第１リブ３１Ａは、フード部１２の下面壁に直接連なっていて、この下面壁から上方へ直角に延出している。第１リブ３１Ａのフード部１２の下面壁からの突出寸法は、第１リブ３１Ａの幅寸法（板厚寸法）に比べて相当に大きい寸法であり、したがって、第１リブ３１Ａは、フード部１２の下面壁と直角な板状をなしている。第１リブ３１Ａは、両ハウジング１０，２０の嵌合方向と平行に延び、その前後方向の形成領域については、フード部１２の開口端（第１ハウジング１０の前端）から、フード部１２の奥端面に亘る範囲で連続していて、第１リブ３１Ａの後端は、フード部１２の奥端面に連なっている。また、一対の第１リブ３１Ａは、上記した一対の第１補助リブ１６よりも左右方向における外側に位置している。この第１リブ３１Ａの上端は、規制リブ３１の上端と同じである。
【００２５】
第２リブ３１Ｂは、第１リブ３１Ａの一方の側面、即ち相手側の第１リブ３１Ａと対向する内側の側面からフード部１２の下面壁と平行に突出した形態である。２つの第２リブ３１Ｂは、第１リブ３１Ａの上端位置と、第１リブ３１Ａの上下方向における略中央位置との２箇所に上下間隔を空けて配置され、上側の第２リブ３１Ｂの上面は、第１リブ３１Ａの上端面に対して面一状に連なっている。第２リブ３１Ｂの第１リブ３１Ａからの突出寸法は、第２リブ３１Ｂの上下寸法とほぼ同じ寸法である。
【００２６】
第２リブ３１Ｂは、第１リブ３１Ａと同様に両ハウジング１０，２０の嵌合方向と平行に延びているが、第２リブ３１Ｂの前後方向の形成領域については、第１リブ３１Ａとは異なる。即ち、第２リブ３１Ｂは、フード部１２の開口端（第１ハウジング１０の前端）よりも後方の位置から、フード部１２の奥端面に亘る範囲で連続するように形成されていて、第２リブ３１Ｂの後端は、フード部１２の奥端面に連なっている。第２リブ３１Ｂの前後方向の寸法は、第１リブ３１Ａのほぼ１／２の長さであり、第２リブ３１Ｂの前端は、小型タブ１４Ａの前端よりも少し前方に位置する。この前後方向の形成領域は、上側の第２リブ３１Ｂと下側の第２リブ３１Ｂとで同じとなっている。
【００２７】
規制溝３２は、第２ハウジング２０の下面から上方へ直角に凹ませた形態である。左右方向における規制溝３２の形成位置は、左右一対の大型雌端子金具２１の形成領域と小型雌端子金具２２の形成領域との間であって、上段の３つの大型雌端子金具２１のうち第２ハウジング２０の中央側に位置する大型雌端子金具２１のほぼ真下の位置となっている。換言すると、規制溝３２は、上段に比べて下段の方が大型雌端子金具２１の数が少ないことに起因して生じたデッドスペースに配置されていることになる。また、上下方向における規制溝３２の上端の位置（形成領域）については、上段側の大型雌端子金具２１よりも下方であり、小型雌端子金具２２の形成範囲の上端よりも少し下方の位置となっている。詳しくは、規制溝３２の上端は、下段の大型雌端子金具２１と重なる高さであり、上段の小型雌端子金具２２と重なる高さとなっている。
【００２８】
各規制溝３２は、夫々、１つの第１溝３２Ａと２つの第２溝３２Ｂとから構成されている。第１溝３２Ａは、第２ハウジング２０の下面に開口されている。第１溝３２Ａの深さ寸法（第２ハウジング２０の下面からの凹み寸法）は、第１溝３２Ａの幅寸法（板厚寸法）に比べて相当に大きい寸法であり、したがって、第１溝３２Ａは、第２ハウジング２０の下面と直角なスリット状をなしている。第１溝３２Ａは、両ハウジング１０，２０の嵌合方向と平行に延び、その前後方向の形成領域については、第２ハウジング２０の前端面から、後端に近い位置に亘る範囲で連続している。また、一対の第１溝３２Ａは、上記した一対の第１補助溝２４よりも左右方向における外側に位置している。この第１溝３２Ａの上端は、規制溝３２の上端と同じである。
【００２９】
第２溝３２Ｂは、第１溝３２Ａの一方の内側面、即ち第２ハウジング２０の左右方向における中央側の側面から第２ハウジング２０の下面と平行に突出した形態である。２つの第２溝３２Ｂは、第１溝３２Ａの上端位置と、第１溝３２Ａの上下方向における略中央位置との２箇所に上下間隔を空けて配置され、上側の第２溝３２Ｂの上面は、第１溝３２Ａの上端面に対して面一状に連なっている。第２溝３２Ｂの第１溝３２Ａからの突出寸法は、第２溝３２Ｂの上下寸法とほぼ同じ寸法である。
【００３０】
第２溝３２Ｂは、第１溝３２Ａと同様に両ハウジング１０，２０の嵌合方向と平行に延びているが、第２溝３２Ｂの前後方向の形成領域については、第１溝３２Ａとは異なる。即ち、第２溝３２Ｂは、第２ハウジング２０の前端面から、第１溝３２Ａの後端よりも前方の位置に亘る範囲で連続するように形成されている。第２溝３２Ｂの前後方向の寸法は、第１溝３２Ａのほぼ１／２の長さである。この前後方向の形成領域は、上側の第２溝３２Ｂと下側の第２溝３２Ｂとで同じとなっている。
【００３１】
次に、本実施形態の作用を説明する。  
両ハウジング１０，２０を嵌合する際には、第２ハウジング２０をフード部１２内に嵌入させる。このとき、フード部１２に対して第２ハウジング２０が不正な斜め姿勢になっていると、第２ハウジング２０の前端面が規制リブ３１の前端と干渉するので、斜め姿勢での嵌合はできない。したがって、第２ハウジング２０の姿勢を整えて第１ハウジング１０に対して正対するようにすれば、フード部１２に対して第２ハウジング２０を嵌合することができる。
【００３２】
嵌合が開始されると、まず、規制手段３０においては、第１リブ３１Ａと第１溝３２Ａとが嵌合する。また、これと同時に、第１補助リブ１６と第１補助溝２４とが嵌合されるとともに、第２補助リブ２５と第２補助溝１７とが嵌合する。これらの嵌合作用により、第２ハウジング２０は、フード部１２の短辺と平行な上下方向の軸を中心として姿勢を左右に大きく傾けることを規制され、フード部１２に対して正しい姿勢に保たれる。これにより、第２ハウジング２０とフード部１２との間でこじりを生じることがなく、両ハウジング１０，２０の嵌合動作が円滑に進む。
【００３３】
両ハウジング１０，２０の嵌合が進んで、第２ハウジング２０の前端が第２リブ３１Ｂの前端に到達すると、第２リブ３１Ｂと第２溝３２Ｂとが嵌合を開始する。この嵌合作用により、第２ハウジング２０は、フード部１２の長辺と平行な左右方向の軸を中心として姿勢を上下に大きく傾けることを規制され、フード部１２に対して正しい姿勢に保たれる。これにより、第２ハウジング２０とフード部１２との間におけるこじりが、より効果的に防止され、両ハウジング１０，２０の嵌合動作が支障なく進む。
【００３４】
第２リブ３１Ｂと第２溝３２Ｂとの嵌合が開始されてから、更に両ハウジング１０，２０の嵌合が進むと、第２リブ３１Ｂと第２溝３２Ｂとが嵌合を開始した直後に、大型タブ１３Ａが第２ハウジング２０内への進入を開始する。大型タブ１３Ａが第２ハウジング２０に進入する時点では、第１リブ３１Ａと第１溝３２Ａとの嵌合作用、及び第２リブ３１Ｂと第２溝３２Ｂとの嵌合作用により、第２ハウジング２０は、フード部１２に対し、上下方向及び左右方向において高い精度で位置決めされているので、大型タブ１３Ａは、第２ハウジング２０の前端面とに干渉することなく、第２ハウジング２０内に進入し、大型雌端子金具２１に接続する状態となる。
【００３５】
この状態から更に、両ハウジング１０，２０の嵌合が進むと、小型タブ１４Ａが第２ハウジング２０への進入を開始する。このときも、第１リブ３１Ａと第１溝３２Ａとの嵌合作用、及び第２リブ３１Ｂと第２溝３２Ｂとの嵌合作用により、第２ハウジング２０はフード部１２に対して上下左右に高い精度で位置決めされているので、小型タブ１４Ａは、第２ハウジング２０の前端面とに干渉することなく、第２ハウジング２０内に進入し、小型雌端子金具２２に接続する状態となる。
【００３６】
本実施形態によれば、両ハウジング１０，２０の嵌合の初期においては、第１リブ３１Ａと第１溝３２Ａとが嵌合するように第２ハウジング２０の姿勢を整えればよいので、第１リブ３１Ａと第１溝３２Ａとの嵌合及び第２リブ３１Ｂと第２溝３２Ｂとの嵌合を同時に成立させるように第２ハウジング２０の姿勢を整える場合に比べると、第２ハウジング２０の姿勢を整える作業が容易であり、作業性に優れる。
【００３７】
また、第１リブ３１Ａと第１溝３２Ａとを嵌合させた状態で、両ハウジング１０，２０の嵌合動作を進めた後は、第２ハウジング２０の姿勢を整えて第２リブ３１Ｂと第２溝３２Ｂとを嵌合させるようにするのであるが、この時点では、既に第２ハウジング２０がフード部１２内に嵌合されていて、第２ハウジング２０の姿勢が概ね正しい姿勢をとっているので、嵌合途中で第２ハウジング２０の姿勢を整える作業も容易である。
【００３８】
また、第２リブ３１Ｂが第１リブ３１Ａから突出する形態とされ、第２溝３２Ｂが第１溝３２Ａの内面を凹ませた形態となっているので、第１リブ３１Ａと第２リブ３１Ｂが互いに独立して突出し、第１溝３２Ａと第２溝３２Ｂとが互いに独立して凹ませた形態である場合に比べると、規制リブ３１及び規制溝３２の形状が簡素化されている。
【００３９】
また、第１リブ３１Ａが板状に突出した形態であり、第２リブ３１Ｂが、第１リブ３１Ａの板面から略直角に突出した形態であるので、この第２リブ３１Ｂは、板状をなす第１リブ３１Ａを補強する機能を発揮する。
【００４０】
また、第２ハウジング２０の前端面がフード部１２内の大型タブ１３Ａ及び小型タブ１４Ａの先端に到達するより前に、第１リブ３１Ａと第１溝３２Ａとの嵌合及び第２リブ３１Ｂと第２溝３２Ｂとの嵌合によって、フード部１２に対する第２ハウジング２０の姿勢が正しく整えられるので、大型タブ１３Ａも小型タブ１４Ａも、第２ハウジング２０の前端面に突き当たる虞がない。
【００４１】
また、フード部１２内の小型タブ１４Ａは、寸法が小さいので、第２ハウジング２０内の雌端子金具と正しく接続されるためには、第２ハウジング２０をフード部１２に対して高い精度で位置決めする必要がある。そこで、本実施形態では、規制リブ３１を、フード部１２の内面から突出してフード部１２の奥端面に連なる形態とすることによって変形し難いようにした上で、小型タブ１４Ａの配置領域に臨むように、即ち小型タブ１４Ａの配置領域の近傍に配置した。これにより、規制リブ３１と規制溝３２との嵌合によって、第２ハウジング２０をフード部１２に対して高い精度で位置決めできる。
【００４２】
＜他の実施形態＞
本発明は上記記述及び図面によって説明した実施形態に限定されるものではなく、例えば次のような実施態様も本発明の技術的範囲に含まれる。  
（１）上記実施形態では、第１リブを、嵌合方向において第２リブの形成領域と対応する範囲に亘って形成したが、嵌合方向における第１リブの形成範囲は、第２リブの形成範囲よりも前方に限定されていてもよい。  
（２）上記実施形態では、第１リブによって規制される第２ハウジングの姿勢傾き方向と、第２リブによって規制される第２ハウジングの規制傾き方向とが略直角方向となるようにしたが、第１リブによる規制の向きと、第２リブによる規制の向きとが、同じ方向であってもよく、斜め方向であってもよい。  
（３）上記実施形態では第１リブがフード部の開口縁から奥方へ延びる形態としたが、第１リブがフード部の開口縁よりも奥方（嵌合方向における後方）の位置から奥方へ延びる形態であってもよい。  
（４）上記実施形態では、第２リブを第１リブの板面から突出させたが、本発明によれば、第２リブを、フード部の内面における第１リブとは別の位置から独立させて突出させてもよい。この場合、第１溝と第２溝は、第２ハウジングの外面における互いに異なる位置から独立して凹ませた形態となる。  
（５）上記実施形態では、第１リブを、幅寸法に比べて突出寸法が相当に大きい板状に突出する形態としたが、第１リブは、幅寸法に比べて突出寸法が小さい形態や、幅寸法と突出寸法がほぼ同じ寸法であってもよい。  
（６）上記実施形態では、第２ハウジングの前端面がフード部内のタブの先端に到達するより前に、第２リブと第２溝とが嵌合するようにしたが、本発明によれば、第２ハウジングの前端面がフード部内のタブの先端に到達した後で、第２リブと第２溝が嵌合するようにしてもよい。  
（７）上記実施形態では１つの第１リブに２つの第２リブを形成したが、１つの第１リブに形成する第２リブの数は、１つまたは３つ以上でもよい。  
（８）上記実施形態では規制リブと規制溝を２対ずつ設けたが、規制リブと規制溝の組み合わせの数は、１対だけでもよく、３対以上でもよい。  
（９）上記実施形態では、一対の第１リブにおける互いに対向する内側の面に第２リブを形成したが、本発明によれば、第１リブの外側の面に第２リブを形成してもよい。  
（１０）上記実施形態では、第１リブの後端がフード部の奥端面に連なる形態としたが、本発明によれば、第１リブの後端がフード部の奥端面に連なっていない形態でもよい。  
（１１）上記実施形態では、第２リブの後端がフード部の奥端面に連なる形態としたが、本発明によれば、第２リブの後端がフード部の奥端面に連なっていない形態でもよい。  
（１２）上記実施形態では規制リブをフード部の内面に形成し、規制溝を第２ハウジングの外面に形成したが、本発明によれば、規制リブを第２ハウジングの外面に形成し、規制溝をフード部の内面に形成してもよい。
【図面の簡単な説明】
【００４３】
【図１】実施形態１において第１ハウジングと第２ハウジングが離脱した状態をあらわす水平断面図
【図２】第１ハウジングと第２ハウジングの嵌合過程をあらわす水平断面図
【図３】第１ハウジングと第２ハウジングが正規嵌合した状態をあらわす水平断面図
【図４】第１ハウジングと第２ハウジングが嵌合した状態における規制リブと規制溝の嵌合状態をあらわす横断面図
【図５】第１ハウジングの正面図
【図６】図５のＸ−Ｘ線断面図
【図７】第２ハウジングの正面図
【図８】図７Ｙ−Ｙ線断面図
【図９】第２ハウジングの平面図
【符号の説明】
【００４４】
１０…第１ハウジング
１２…フード部
１３…大型雄端子金具
１３Ａ…大型タブ
１４…小型雄端子金具
１４Ａ…小型タブ
２０…第２ハウジング
３０…規制手段
３１…規制リブ
３１Ａ…第１リブ
３１Ｂ…第２リブ
３２…規制溝
３２Ａ…第１溝
３２Ｂ…第２溝
【図１】
0005050823.tif 000002
【図２】
0005050823.tif 000003
【図３】
0005050823.tif 000004
【図４】
0005050823.tif 000005
【図５】
0005050823.tif 000006
【図６】
0005050823.tif 000007
【図７】
0005050823.tif 000008
【図８】
0005050823.tif 000009
【図９】
0005050823.tif 000010